(57)【特許請求の範囲】
【請求項１】
回転軸に一体回転可能に固定され周方向に亘って複数の永久磁石が取り付けられたロータコアを備えるロータの製造方法であって、
円筒状のロータカバーを前記ロータコアの外周に被せる工程と、
前記ロータカバーの軸方向端部を径方向内側へ向けて押圧する押圧部材によって前記ロータカバーを径方向内側に押圧して円環状の角部と前記ロータカバーにおける周方向に隣接する前記永久磁石間に窪む溝部とを形成する工程と、
を含むことを特徴とするロータの製造方法。
【請求項２】
前記角部と前記溝部とを形成する工程は、前記ロータカバーの外周への膨出を規制する規制部材を配置してから前記ロータカバーの軸方向端部を径方向内側へ向けて押圧する、
ことを特徴とする請求項１に記載のロータの製造方法。
【請求項３】
前記角部と前記溝部とを形成する工程は、前記ロータカバーの軸方向端部の内周を全周に亘って保持する保持部材を配置した状態で全周から径方向内側へ向けて押圧する、
ことを特徴とする請求項１又は請求項２に記載のロータの製造方法。
【請求項４】
前記押圧部材は周方向に分割された複数の外側コレットから構成され、前記保持部材は周方向に分割された複数の内側コレットから構成され、
周方向に隣接する前記外側コレット間の隙間と周方向に隣接する前記内側コレット間の隙間とは周方向にずれている、
ことを特徴とする請求項３に記載のロータの製造方法。
【請求項５】
前記外側コレット及び前記内側コレットは、周方向に隣接する前記外側コレット間の隙間及び周方向に隣接する前記内側コレット間の隙間が周方向に隣接する前記永久磁石間に位置するように配置される、
ことを特徴とする請求項４に記載のロータの製造方法。
【発明の詳細な説明】
【技術分野】
【０００１】
本発明は、ロータ、ロータの製造方法及びロータを備える回転電機に関する。
【背景技術】
【０００２】
特許文献１には、回転電機に用いられるロータが開示されている。このロータは、マグネットが外周に取り付けられたヨークと、マグネットの外周面を覆うカバーと、を備える。マグネットには周方向端部に切り欠きが設けられ、カバーにはその開口縁部に凹陥部が設けられる。カバーの凹陥部が隣接するマグネット間の切り欠きに係止されることで、カバーの軸方向及び周方向の移動が規制される。
【先行技術文献】
【特許文献】
【０００３】
【特許文献１】特開平１１−２９９１４９号公報
【発明の概要】
【発明が解決しようとする課題】
【０００４】
上記従来の技術では、ヨークに対するカバーの周方向の固定、すなわちカバーの回り止めを行うため、カバーをマグネットの外周に被せる前にマグネット及びカバーに加工を施す必要があり工数が増加する。
【０００５】
本発明は、このような技術的課題に鑑みてなされたものであり、ロータカバーの回り止めを行いながら工数の増加を抑えることを目的とする。
【課題を解決するための手段】
【０００６】
本発明は、回転軸に一体回転可能に固定され周方向に亘って複数の永久磁石が取り付けられたロータコアを備えるロータの製造方法であって、円筒状のロータカバーをロータコアの外周に被せる工程と、ロータカバーの軸方向端部を径方向内側へ向けて押圧する押圧部材によってロータカバーを径方向内側に押圧して円環状の角部とロータカバーにおける周方向に隣接する永久磁石間に窪む溝部とを形成する工程と、を含むことを特徴とすることを特徴とする。
【発明の効果】
【０００７】
本発明によれば、ロータカバーの円環状の角部が形成される時に永久磁石間に溝部が窪んで形成されるので、ロータカバーの周方向の回転を規制することができる。よって、ロータカバーの回り止めを行いながらロータ製造時の工数の増加を抑えることができる。
【図面の簡単な説明】
【０００８】
【図１】本発明の実施形態に係るロータを備える回転電機を示す断面図である。
【図２】本発明の実施形態に係るロータを示す斜視図である。
【図３】ロータをシャフトの回転軸を含む平面で切断した断面を示す断面図である。
【図４】ロータの製造工程を説明するための図である。
【図５】ロータの製造工程を説明するための図である。
【図６】ロータの製造工程を説明するための図である。
【図７Ａ】ロータの製造工程を説明するための図である。
【図７Ｂ】図７Ａを平面７Ｂで切断した断面を示す断面図である。
【図８】ロータの製造工程を説明するための図である。
【図９】ロータの製造工程を説明するための図である。
【図１０】ロータの製造工程を説明するための図である。
【図１１】ロータの製造工程を説明するための図である。
【図１２】ロータの製造工程を説明するための図である。
【図１３】ロータの製造工程を説明するための図である。
【図１４】ロータの製造工程を説明するための図である。
【図１５】ロータの製造工程を説明するための図である。
【図１６】ロータの製造工程を説明するための図である。
【図１７】図１０の範囲Ａを拡大して外型を取り外した状態を示す拡大図であり、溝部が径方向のみに形成される場合を示す。
【発明を実施するための形態】
【０００９】
以下、添付図面を参照しながら本発明の実施形態について説明する。
【００１０】
図１は、本実施形態におけるロータ２を備える回転電機１００を回転軸に垂直な方向に切断した断面を示す断面図である。
【００１１】
回転電機１００は、モータ及び発電機の少なくとも一方として機能する。回転電機１００は、回転可能な回転軸としてのシャフト１と、シャフト１に一体的に固定されるロータ２と、ロータ２の外周側にロータ２と所定の空隙を介して配設されるステータ３と、を備える。
【００１２】
ロータ２は、シャフト１の外周に固定されてシャフト１とともに回転するロータコア２１と、ロータコア２１の外周面に周方向に亘って等間隔で配設される永久磁石２２と、永久磁石２２が取り付けられたロータコア２１を収容するロータカバー２３と、を備える。
【００１３】
ステータ３は、ロータ２と所定の空隙を介してロータ２を取り囲むように配設される円環状のステータコア３１と、ステータコア３１に巻装される巻線３２と、を備える。
【００１４】
ステータコア３１は、環状のヨーク部３３と、ヨーク部３３から径方向内側に向けて突設され周方向に所定の間隔で配置される複数のティース３４と、隣接するティース３４によってヨーク部３３の内周側に画成されるスロット３５と、を有する。
【００１５】
巻線３２は、ステータコア３１のティース３４に巻回され、各ティース３４にはコイルが形成される。巻線３２の端末は、ステータ３に設けられる電極（図示せず）に接続される。電極を介してコイルに電力が供給されるとステータコア３１が磁化し、ロータ２の永久磁石２２との作用によってロータ２がシャフト１を軸として回転する。
【００１６】
図２は、本実施形態におけるロータ２を示す斜視図である。図３は、ロータ２をシャフト１の回転軸を含む平面で切断した断面を示す断面図である。
【００１７】
ロータカバー２３は、永久磁石２２が取り付けられたロータコア２１を収容する非磁性のステンレス鋼から成る有底筒状に形成される。ロータカバー２３は、ロータコア２１の外周を覆う円筒状の円筒部２４と、ロータコア２１の軸方向一方側（図３中右側）の端部に当接する底部２５と、ロータコア２１の軸方向他方側（図３中左側）の端部に当接する上面部２６と、を有する。
【００１８】
底部２５は、軸方向に垂直な面を有するとともに中央にシャフト１より大径の孔２５ａを有する円環状に形成される。円筒部２４の端部と底部２５の外周端とは、円筒部２４の端部から軸方向に突出する突出部２７を介して接続される。
【００１９】
上面部２６は、軸方向に垂直な面を有するとともに中央にシャフト１より大径の孔２６ａを有する円環状に形成される。上面部２６は、円筒部２４の軸方向他方側の端部を径方向内側に折り曲げて形成される。円筒部２４と上面部２６との間には円環状の角部２８が形成され、角部２８には周方向に隣接する永久磁石２２間に溝部２９が窪んで形成される。溝部２９は、角部２８を形成する際にともに形成され、ロータカバー２３の回り止めとして機能する。
【００２０】
また、底部の孔及び上面部の孔はロータコアより大径に設定され、底部及び上面部は永久磁石の側面を覆い隠すように延設される。
【００２１】
次に、ロータ２の製造方法について図４〜図１６を参照しながら説明する。
【００２２】
初めに、ロータコア２１の外周面に複数の永久磁石２２を取り付ける。永久磁石２２は、周方向に亘って等間隔に配置されるように接着剤などを用いて取り付けられる。
【００２３】
続いて、図４に示すように、予め底部２５が形成されたロータカバー２３の開口端から、永久磁石２２が取り付けられたロータコア２１を入れてロータカバー２３内に収容する。この段階ではまだ上面部２６が形成されていないので、ロータコア２１をロータカバー２３の底部２５に当接するまで入れると、図５に示すように、ロータカバー２３の開口端はロータコア２１の上端より上方に位置することになる。
【００２４】
続いて、図６に示すように、ロータカバー２３の円筒部２４の外周であって開口端側に規制部材としての外型４１を配置する。外型４１は、内径がロータカバー２３の円筒部２４の外径とほぼ等しく設定された円筒状部材であり、後述するロータカバー２３の折り曲げ時にロータカバー２３の円筒部２４が径方向外側に膨出することを規制する。外型４１の高さは、ロータコア２１の高さとほぼ同一である。
【００２５】
続いて、図７Ａに示すように、外型４１の上部に周方向に分割された複数の押圧部材としての外側コレット４２を配置する。各外側コレット４２は、周方向に所定の隙間を有した状態でロータカバー２３の開口端の外周面に当接するように配置される。
【００２６】
さらに、ロータコア２１の上部であってロータカバー２３の内周側に周方向に分割された複数の保持部材としての内側コレット４３を配置する。各内側コレット４３は、周方向に所定の隙間を有した状態でロータカバー２３の開口端の内周面に当接するように配置される。
【００２７】
各外側コレット４２及び各内側コレット４３は、それぞれ永久磁石２２の個数の半分の数に分割されている。すなわち、各外側コレット４２及び各内側コレット４３は永久磁石２２の２つ分の大きさである。図８に示すように、各外側コレット４２の隙間及び各内側コレット４３の隙間は、それぞれロータコア２１の周方向に隣接する永久磁石２２間に位置する。さらに、各外側コレット４２の隙間と各内側コレット４３の隙間とは、それぞれ周方向に永久磁石２２一つ分ずつずれて配置される。
【００２８】
続いて、内側コレット４３を径方向外側に向けて押圧した状態で外側コレット４２を径方向内側に向けて押圧する。このとき、外側コレット４２の押圧力は内側コレット４３の押圧力を上回るように設定される。これにより、ロータカバー２３の開口端は、内側コレット４３によって内周側から保持された状態で外側コレット４２によって径方向内側へ向けて押し込まれる。このとき、ロータカバー２３の径方向内側へ向けて押し込まれる部分は、外側コレット４２及び内側コレット４３によって径方向内側へ引っ張られるだけであってもよいし、引き抜き加工のように引き伸ばされてもよい。引っ張りとするか引き伸ばしとするかは、外側コレット４２及び内側コレット４３の押圧力の関係によって調整される。また、引っ張り又は引き伸ばしに際して、ロータカバー２３の径方向内側へ向けて押し込まれる部分にしわが生成されていてもよいし、生成されなくてもよい。
【００２９】
また、外側コレット４２は、径方向内側に向けて押圧させるのに加えて軸方向下方にも押圧させる。これにより、上面部２６が完成した際のスプリングバックを低減することができる。外側コレット４２の軸方向下方への押圧は、外側コレット４２の自重又は外部応力の付加によって行われ、外側コレット４２が径方向内側に十分移動した後に行われる。
【００３０】
ロータカバー２３の開口端は、図９に示すように、外側コレット４２及び内側コレット４３の各隙間が減少するように径方向内側に押し込まれる。これにより、外側コレット４２及び内側コレット４３を取り除くと、図１０に示すように、ロータカバー２３の開口端は円筒部２４より径方向内側に折り曲げられて円環状の角部２８が形成される。さらに、ロータカバー２３の開口端の一部が角部２８における隣接する永久磁石２２間に入り込み溝部２９が形成される。溝部２９は、隣接する永久磁石２２間の境界に形成される。
【００３１】
なお、溝部２９は、図２及び図１０に示すように、ロータカバー２３の開口端であって円筒部２４より径方向内側に折り曲げられた部分から軸方向及び径方向に形成されていてもよいし、径方向のみに形成されていてもよい。図１７は、図１０の範囲Ａを拡大して外型４１を取り外した状態を示す拡大図であり、溝部２９が径方向のみに形成される場合を示す。この場合、しわ部７１が上面部２６に形成され、このしわ部７１の形成時に余った肉が軸方向に逃げる力で窪むことで溝部２９が形成される。溝部２９には、図１７に示すように、溝部２９の両縁に形成される２つの溝７２間から突出するしわ部７１が形成される。
【００３２】
続いて、図１１に示すように、外側コレット５２をロータカバー２３の開口端の外周側に配置するとともに、内側コレット５３をロータカバー２３の開口端の内周側に配置する。ここで、ロータカバー２３の開口端は図８から図９へ移行する間に外側コレット４２及び内側コレット４３によって径方向内側に折り曲げられて縮径されているので、外側コレット５２は、図８における外側コレット４２より径方向の厚みが大きくなるように設定され、内側コレット５３は、図８における内側コレット４３より径方向の寸法が小さくなるように設定される。
【００３３】
各外側コレット５２及び各内側コレット５３は、それぞれ永久磁石２２の個数の半分の数に分割されている。すなわち、各外側コレット５２及び各内側コレット５３は永久磁石２２の２つ分の大きさである。図１１に示すように、各外側コレット５２の隙間及び各内側コレット５３の隙間は、それぞれロータコア２１の周方向に隣接する永久磁石２２間に位置する。さらに、各外側コレット５２の隙間と各内側コレット５３の隙間とは、それぞれ周方向に永久磁石２２一つ分ずつずれて配置される。さらに、外側コレット５２の隙間は図８における外側コレット４２の隙間とは周方向にずれて配置され、内側コレット５３の隙間は図８における内側コレット４３の隙間とは周方向にずれて配置される。
【００３４】
続いて、内側コレット５３を径方向外側に向けて押圧した状態で外側コレット５２を径方向内側に向けて押圧する。このとき、外側コレット５２の押圧力は内側コレット５３の押圧力を上回るように設定される。これにより、ロータカバー２３の開口端は、内側コレット５３によって内周側から保持された状態で外側コレット５２によって径方向内側へ向けて押し込まれる。このとき、ロータカバー２３の径方向内側へ向けて押し込まれる部分は、外側コレット５２及び内側コレット５３によって径方向内側へ引っ張られるだけであってもよいし、引き抜き加工のように引き伸ばされてもよい。引っ張りとするか引き伸ばしとするかは、外側コレット５２及び内側コレット５３の押圧力の関係によって調整される。また、引っ張り又は引き伸ばしに際して、ロータカバー２３の径方向内側へ向けて押し込まれる部分にしわが生成されていてもよいし、生成されなくてもよい。
【００３５】
また、外側コレット５２は、径方向内側に向けて押圧させるのに加えて軸方向下方にも押圧させる。これにより、上面部２６が完成した際のスプリングバックを低減することができる。外側コレット５２の軸方向下方への押圧は、外側コレット５２の自重又は外部応力の付加によって行われ、外側コレット５２が径方向内側に十分移動した後に行われる。
【００３６】
ロータカバー２３の開口端は、図１２に示すように、外側コレット５２及び内側コレット５３の各隙間が減少するように径方向内側に押し込まれる。これにより、外側コレット５２及び内側コレット５３を取り除くと、図１３に示すように、ロータカバー２３の開口端は円筒部２４よりさらに径方向内側に押し込まれる。このとき、ロータカバー２３の開口端の一部が角部２８における隣接する永久磁石２２間に入り込み溝部２９が形成される。溝部２９は、隣接する永久磁石２２間の境界に形成される。
【００３７】
続いて、図１４に示すように、外側コレット６２をロータカバー２３の開口端の外周側に配置する。ここで、ロータカバー２３の開口端は図１１から図１２へ移行する間に外側コレット５２及び内側コレット５３によって径方向内側に押し込まれて縮径されているので、外側コレット６２は、図１１における外側コレット５２より径方向の厚みが大きくなるように設定される。
【００３８】
各外側コレット６２は、永久磁石２２の個数の半分の数に分割されている。すなわち、各外側コレット６２は永久磁石２２の２つ分の大きさである。図１４に示すように、各外側コレット６２の隙間は、それぞれロータコア２１の周方向に隣接する永久磁石２２間に位置する。さらに、外側コレット６２の隙間は図１１における外側コレット５２の隙間とは周方向に永久磁石２２一つ分ずつずれて配置される。
【００３９】
続いて、外側コレット６２を径方向内側に向けて押圧する。これにより、ロータカバー２３の開口端は、外側コレット６２によって径方向内側へ向けてさらに押し込まれる。このとき、ロータカバー２３の径方向内側へ向けて押し込まれる部分は、外側コレット６２によって径方向内側へ引っ張られるだけであってもよいし、引き抜き加工のように引き伸ばされてもよい。引っ張りとするか引き伸ばしとするかは、外側コレット６２の押圧力によって調整される。また、引っ張り又は引き伸ばしに際して、ロータカバー２３の径方向内側へ向けて押し込まれる部分にしわが生成されていてもよいし、生成されなくてもよい。
【００４０】
また、外側コレット６２は、径方向内側に向けて押圧させるのに加えて軸方向下方にも押圧させる。これにより、上面部２６が完成した際のスプリングバックを低減することができる。外側コレット６２の軸方向下方への押圧は、外側コレット６２の自重又は外部応力の付加によって行われ、外側コレット６２が径方向内側に十分移動した後に行われる。
【００４１】
ロータカバー２３の開口端は、図１５に示すように、外側コレット６２の隙間が減少するように径方向内側に押し込まれる。これにより、外側コレット６２を取り除くと、図１６に示すように、ロータカバー２３の開口端は円筒部２４よりさらに径方向内側に押し込まれて上面部２６が形成される。このとき、ロータカバー２３の開口端の一部が角部２８における隣接する永久磁石２２間に入り込み溝部２９が形成される。
【００４２】
続いて、外型４１が取り外され、ロータコア２１の中央にシャフト１が挿入される。これにより、図２に示すように、シャフト１を有するロータ２が完成する。
【００４３】
以上の実施形態によれば、以下に示す効果を奏する。
【００４４】
ロータカバー２３の円環状の角部２８が形成される時に永久磁石２２間に溝部２９が窪んで形成されるので、ロータカバー２３の周方向の回転を規制することができる。よって、ロータカバー２３の回り止めを行いながらロータ製造時の工数の増加を抑えることができる。
【００４５】
さらに、ロータ２が単一のロータカバー２３から構成されるので、ロータ２の製造コストを低減することができる。
【００４６】
さらに、溝部２９は、角部２８における隣接する永久磁石２２間に形成される。ロータカバーの内周面にロータコアとの回り止めを別途加工する場合には、ロータカバーを被せるための内径クリアランスに加えて、ロータカバーとロータコアとを周方向に引っ掛ける部分に対してのクリアランスを取ることが必要となり、ロータカバーをセットした場合にロータコアに完全にフィットさせることは困難である。これに対して、本実施形態では、ロータカバー２３を周方向から絞り加工のように押圧してロータコアの外周の永久磁石２２に密着させるので、永久磁石２２の軸方向端部付近においてはロータカバー２３の内径クリアランスがなくなるように加工される。よって、加工時に形成される溝部２９は、クリアランスをなくすような働きを有するので、ロータカバー２３の回り止めをより確実に行うことができる。さらに、溝部２９は、角部２８における隣接する永久磁石２２間に形成されるので、角部２８及び上面部２６によってロータカバー２３が軸方向に対して磁石にフィットするので、ロータカバー２３の軸方向のずれを防止することができる。
【００４７】
さらに、ロータカバー２３の上面部２６の内径はロータコア２１の外径より小さいので、永久磁石２２が破損した際に破片が飛散することを防止することができる。
【００４８】
さらに、ロータカバー２３の開口端を全周から径方向内側へ向けて押圧する外側コレット４２、５２、６２によってロータカバー２３の開口端を径方向内側に折り曲げて円環状の角部２８とロータカバー２３における周方向に隣接する永久磁石２２間に窪む溝部２９とを形成するので、ロータカバー２３内にロータコア２１を収容してロータカバー２３の開口端を径方向内側に折り曲げるだけでロータカバー２３の回り止めを行うことができる。よって、ロータカバー２３の回り止めのために新たな加工を施す必要がないのでロータ２の製造コストを低減することができる。
【００４９】
さらに、外側コレット４２、５２、６２によってロータカバー２３の開口端を径方向内側に折り曲げる際に、外型４１をロータカバー２３の外周に配置することでロータカバー２３の円筒部２４が径方向外側に膨出することを規制するので、ロータカバー２３が変形してロータ２の外径が大きくなることを防止することができる。
【００５０】
さらに、外側コレット４２、５２、６２によってロータカバー２３の開口端を径方向内側に折り曲げる際に内側コレット４３によってロータカバー２３の開口端の内周を全周に亘って保持するので、ロータカバー２３の開口端が径方向内側に折り曲げられる際にロータカバー２３に生じるしわを低減することができる。
【００５１】
さらに、周方向に隣接する外側コレット４２、５２、６２間の隙間と周方向に隣接する内側コレット４３間の隙間とは周方向にずれているので、外側コレット４２、５２、６２の隙間と内側コレット４３の隙間とが対向することで、ロータカバー２３の肉が外側コレット４２、５２、６２の隙間及び内側コレット４３の隙間に噛み込まれることを防止することができる。
【００５２】
さらに、外側コレット４２、５２、６２は周方向に隣接する外側コレット４２、５２、６２間の隙間が周方向に隣接する永久磁石２２間に位置するように配置され、内側コレット４３は周方向に隣接する内側コレット４３間の隙間が周方向に隣接する永久磁石２２間に位置するように配置されるので、ロータカバー２３の肉の逃げ部が永久磁石２２間に配置されることで永久磁石２２間に溝部２９をより確実に形成することができる。
【００５３】
さらに、図７Ｂに示すように、外型４１の高さは、ロータコア２１の高さとほぼ同一に設定されるので、外側コレット４２の高さ方向の位置決めを行うことができる。これにより、外側コレット４２を径方向内側に向けて押圧する工程を安定して行うことができる。さらに、外側コレット４２、５２、６２は、径方向内側に向けて押圧させるのに加えて軸方向下方にも押圧させるので、ロータカバー２３の上面部２６のスプリングバックを低減することができる。
【００５４】
以上、本発明の実施形態について説明したが、上記実施形態は本発明の適用例の一つを示したに過ぎず、本発明の技術的範囲を上記実施形態の具体的構成に限定する趣旨ではない。
【００５５】
例えば、上記実施形態では、溝部２９が角部２８における隣接する永久磁石２２間に形成されているが、ロータカバー２３の円筒部２４に別途溝部２９を形成することで回り止めの効果を向上させてもよい。また、上記実施形態では、円環状のロータコア２１の外周面に永久磁石２２が密に配設されるロータ２を例示したが、ロータコア２１の外周面に周方向に亘って複数の凸部が形成され、永久磁石２２が凸部間に配設されるタイプのロータにも本実施形態は適用可能である。この場合、溝部２９は、永久磁石２２間ではなく、永久磁石２２と隣接する凸部との間に形成されても良い。
【００５６】
さらに、上記実施形態では、ロータカバー２３の上面部２６は角部２８から永久磁石２２を覆い隠すまで径方向内側に延設されているが、永久磁石２２の一部が露出するように延設されていてもよい。
【００５７】
さらに、上記実施形態では、有底筒状のロータカバー２３の一端に上面部２６を形成したが、底部２５を有していない筒状のロータカバー２３にロータコア２１を入れてからロータカバー２３の両端に上面部２６を形成してもよい。
【００５８】
さらに、上記実施形態では、ロータカバー２３の上面部２６を形成するに当たって外型４１を円筒部２４の外周全体に配置したが、外型４１を一部、又は、用いなくてもよい。
【００５９】
さらに、上記実施形態では、外側コレット４２、５２、６２を用いて３度に亘って徐々に上面部２６を形成しているが、１度に上面部２６を形成してもよいし、２度又は４度以上に亘って徐々に上面部２６を形成してもよい。また、上記実施形態では、外側コレット６２によってロータカバー２３の開口端を縮径させる場合には内側コレットを用いていないが、内側コレット４３及び内側コレット５３と同様に内側コレットを用いてもよい。
【００６０】
さらに、上記実施形態では、外側コレット４２、５２、６２と内側コレット４３、５３とを用いて上面部２６を形成しているが、外側コレット６２のみを用いて上面部２６を形成してもよい。
【００６１】
さらに、上記実施形態では、周方向に隣接する外側コレット４２、５２、６２間の隙間と周方向に隣接する内側コレット４３、５３間の隙間とは周方向にずれているが、互いに対向するように配置してもよい。
【００６２】
さらに、上記実施形態では、外側コレット４２、５２、６２は周方向に隣接する外側コレット４２、５２、６２間の隙間が周方向に隣接する永久磁石２２間に位置するように配置され、内側コレット４３、５３は周方向に隣接する内側コレット４３、５３間の隙間が周方向に隣接する永久磁石２２間に位置するように配置されているが、外側コレット４２、５２、６２間の隙間及び内側コレット４３、５３間の隙間は、隣接する永久磁石２２間に配置されていなくてもよい。
【００６３】
さらに、上記実施形態では、ロータカバー２３が、非磁性のステンレス鋼から構成されるとして説明したが、アルミ等の他の非磁性金属から構成されていてもよい。
【００６４】
さらに、上記実施形態では、ロータカバー２３の角部２８には永久磁石２２間に溝部２９が窪んで形成されることでロータカバー２３の回り止めを行っているが、溝部２９を形成した後、ロータカバー２３の外周面に永久磁石２２間に沿って軸方向に溝を加工してもよい。ロータカバーをロータコアの外周に被せただけの構造では、ロータカバーの外側から永久磁石間の位置を確認することができないため、永久磁石２２間に沿って軸方向に溝を後加工することは困難である。しかし、本実施形態では、ロータカバー２３を装着後であっても溝部２９が永久磁石２２間に形成されるため、永久磁石間の位置を確認でき、永久磁石２２間に沿って軸方向に溝を後加工することができる。これにより、後加工された溝によってロータカバー２３と永久磁石とのクリアランスがさらに小さくなるので、ロータカバー２３の回り止めをより確実に行うことができる。
【符号の説明】
【００６５】
１  シャフト（回転軸）
２  ロータ
３  ステータ
２１  ロータコア
２２  永久磁石
２３  ロータカバー
２８  角部
２９  溝部
４１  外型（規制部材）
４２、５２、６２  外側コレット（押圧部材）
４３、５３、６３  内側コレット（保持部材）
１００  回転電機
【図１】
0006360775.tif 000002
【図２】
0006360775.tif 000003
【図３】
0006360775.tif 000004
【図４】
0006360775.tif 000005
【図５】
0006360775.tif 000006
【図６】
0006360775.tif 000007
【図７Ａ】
0006360775.tif 000008
【図７Ｂ】
0006360775.tif 000009
【図８】
0006360775.tif 000010
【図９】
0006360775.tif 000011
【図１０】
0006360775.tif 000012
【図１１】
0006360775.tif 000013
【図１２】
0006360775.tif 000014
【図１３】
0006360775.tif 000015
【図１４】
0006360775.tif 000016
【図１５】
0006360775.tif 000017
【図１６】
0006360775.tif 000018
【図１７】
0006360775.tif 000019